(57)【要約】【課題】  １絵素のサイズが小さい高精細液晶パネルでも充分な開口率を確保する。【解決手段】  ＲＧＢ絵素部を１画素部として、表示領域が３種類の絵素形状で構成され、第１絵素電極２４ａと信号線２１との間に第１ＴＦＴ２５ａが接続され、第２絵素電極２４ｂと信号線２１との間に第２ＴＦＴ２５ｂが接続され、第３絵素電極２４ｃと信号線２１との間に第３ＴＦＴ２５ｃと第４ＴＦＴ２５ｄが直列接続されている。表示画面を構成する絵素部のうちの１／３に二つのスイッチング素子を備えて、Ａ画素×Ｂ画素の液晶表示パネルに対して、信号線本数＝Ａ、走査線本数＝Ｂ×２という配線本数で表示領域が構成される。【選択図】  図１
2006251322.tif 000002
【特許請求の範囲】
【請求項１】
複数の信号線と複数の走査線とが互いに交差してマトリクス状に配置され、
該信号線と該走査線の交差部毎に設けられた絵素領域に、絵素電極と、当該走査線からの走査信号で選択されて当該信号線からの画像信号により該絵素電極を駆動可能とするスイッチング素子とを有する液晶表示装置において、
当該走査線として少なくとも第１および第２走査線が設けられ、
該絵素領域毎に、該絵素電極として少なくとも第１〜第３絵素電極が設けられ、該スイッチング素子は、当該信号線から該少なくとも第１〜第３絵素電極にそれぞれ各表示電圧を供給可能とする液晶表示装置。
【請求項２】
前記信号線と前記走査線の交差部毎に設けられた絵素領域に、前記スイッチング素子として第１〜第４スイッチング素子が設けられ、
前記第１絵素電極と該信号線の間に、前記第１走査線の走査信号により選択される該第１スイッチング素子が接続され、
前記第２絵素電極と該信号線の間に、前記第２走査線の走査信号により選択される該第２スイッチング素子が接続され、
前記第３絵素電極と該信号線の間に、該第１走査線の走査信号により選択される該第３スイッチング素子と、該第２走査線の走査信号により選択される該第４スイッチング素子とが直列接続されて設けられている請求項１に記載の液晶表示装置。
【請求項３】
前記信号線には、前記各表示電圧が時分割に供給されている請求項１または２に記載の液晶表示装置。
【請求項４】
前記第１〜第３絵素電極は、前記第１走査線および前記第２走査線の延在方向に沿って配置されている請求項１または２に記載の液晶表示装置。
【請求項５】
前記第１〜第３絵素電極は、前記信号線と前記走査線で囲まれた領域内に配置されている請求項１，２および４のいずれかに記載の液晶表示装置。
【請求項６】
前記第１〜第３絵素電極は、前記信号線によって前記延在方向に振り分けられている請求項１，２および４のいずれかに記載の液晶表示装置。
【請求項７】
前記第１〜第３絵素電極は、３種類の色の絵素部に対応している請求項１，２および４〜６のいずれかに記載の液晶表示装置。
【請求項８】
前記３種類の色は３原色Ｒ，Ｇ，Ｂである請求項７に記載の液晶表示装置。
【請求項９】
前記第１〜第３絵素電極は、絵素電極形状が同一かまたは異なっている請求項１，２および４〜７のいずれかに記載の液晶表示装置。
【請求項１０】
前記第１走査線のみに駆動電圧が印加される第１期間と、前記第２走査線のみに駆動電圧が印加される第２期間と、該第１走査線および該第２走査線の両方に駆動電圧が印加される第３期間とが、該第３期間、該第１期間および該第２期間の順、または、該第３期間、該第２期間および該第１期間の順で繰り返す走査線駆動回路を更に有する請求項１または２に記載の液晶表示装置。
【請求項１１】
前記第３期間の長さが他の期間よりも長く設定されている請求項１０に記載の液晶表示装置。
【請求項１２】
前記第１〜第４スイッチング素子は、前記信号線の電位に対する前記絵素電極への到達電位差が表示に現れない程度の高充電可能なトランジスタとする請求項２に記載の液晶表示装置。
【請求項１３】
前記第３および第４スイッチング素子は、前記信号線の電位に対する前記絵素電極への到達電位差が表示に現れない程度の高充電可能なトランジスタとする請求項２に記載の液晶表示装置。
【請求項１４】
前記第１〜第４スイッチング素子はトランジスタで構成され、前記一対の走査線のうちの一方の走査線を超えて配線クロス部で前記絵素電極に接続されるトランジスタにおいてそのゲートに駆動電圧が印加される期間が、その他のトランジスタに駆動電圧が印加される期間よりも長く設定されている請求項２に記載の液晶表示装置。
【請求項１５】
前記第１〜第４スイッチング素子は各トランジスタで構成され、該各トランジスタのうちの少なくとも、前記一対の走査線のうちの一方の走査線を超えて配線クロス部で前記絵素電極と接続されるトランジスタは、前記信号線の電位に対する該絵素電極への到達電位差が表示に現れない程度の高充電可能なトランジスタとする請求項２に記載の液晶表示装置。
【請求項１６】
前記配線クロス部は、前記他方のトランジスタを介して絵素電極に接続される配線に比べてその幅サイズが小さく設定されている請求項１４または１５に記載の液晶表示装置。
【請求項１７】
前記第１走査線および第２走査線の少なくとも一方と前記第１〜第３絵素電極とが絶縁膜を介して補助容量を構成している請求項１または２に記載の液晶表示装置。
【請求項１８】
前記走査線に平行に補助容量線が設けられ、前記第１〜第３絵素電極と該補助容量線とが絶縁膜を介して補助容量を構成している請求項１または２に記載の液晶表示装置。
【請求項１９】
前記第１〜第３絵素電極と前記走査線または前記補助容量線との間の該絵素電極毎の各補助容量の大きさを同一または異ならせている請求項１７または１８に記載の液晶表示装置。
【請求項２０】
前記スイッチング素子は四つのトランジスタで構成され、ゲート信号の電圧変化による前記第１〜第３絵素電極の各電位変動が均一になるように、前記補助容量をゲート−絵素電極間の寄生容量の大きさに応じて変化させる請求項１７〜１９のいずれかに記載の液晶表示装置。
【請求項２１】
前記第１、第２および第４スイッチング素子に延びる前記信号線からの分岐部を一または二箇所設ける請求項２に記載の液晶表示装置。
【請求項２２】
前記第１〜第３絵素電極の面積およびその開口部面積を同一または異ならせている請求項１または２に記載の液晶表示装置。
【請求項２３】
前記絵素電極として、前記第１〜第３絵素電極を含む４以上の絵素部が設けられている請求項１に記載の液晶表示装置。
【請求項２４】
請求項１〜２３のいずれかに記載の液晶表示装置が表示部に用いられている電子情報機器。
【発明の詳細な説明】
【技術分野】
【０００１】
本発明は、小型・高精細で絵素サイズが比較的小さい液晶表示装置および、これを表示部に用いた例えばデジタルカメラおよびビデオカメラや携帯電話装置などのモバイル機器の電子情報機器に関する。  
【背景技術】
【０００２】
従来の液晶表示装置は、一対の基板間に液晶層が挟持された液晶パネルを有しており、一方のＴＦＴ基板上に形成された絵素電極と、他方の対向基板に形成された対向電極との間に表示電圧を印加することによって、両電極間に挟まれた液晶部分（絵素）の光学特性が変調されて、文字・図形などが表示画面上に表示される。
【０００３】
図１０は、従来の液晶表示装置における絵素形状を説明するための要部平面図であり、図１１は図１０のＡ−Ａ’線断面図であり、図１２は図１０の液晶表示装置における１画素部分の等価回路図である。
【０００４】
図１０において、従来の液晶表示装置１０の液晶パネルを構成するＴＦＴ基板は、絶縁性基板上に複数の信号線（ソースバスライン）１および複数の走査線（ゲートバスライン）２が互いに交差してマトリクス状に配置されており、さらに、必要に応じてゲートバスライン２毎にこれと平行にＣｓ（補助容量）バスライン３が設けられている。
【０００５】
ソースバスライン１とゲートバスライン２とで囲まれた絵素領域毎に、絵素電極４と、この絵素電極４を選択駆動するスイッチング素子としてのＴＦＴ５とが設けられている。
【０００６】
ＴＦＴ基板には、図１１に示すように、絶縁性基板１１上にゲート絶縁膜１２が設けられ、その上に絵素電極４さらにソースバスライン１が設けられて、そのソースバスライン１を覆うように保護膜１３が設けられている。
【０００７】
対向基板には、絶縁性基板１４上に例えばＲＧＢの着色層１５が設けられ、その上にＢＭ（ブラックマトリクス）１６が設けられている。
【０００８】
ＴＦＴ基板と対向基板は、所定の間隔を空けて対向配置されており、両基板の間隙に液晶層１７が封入されている。
【０００９】
絵素電極４は、図１２に示すように、例えばＲＧＢの３色に対応して三つの絵素電極４ａ、４ｂおよび４ｃが一つ画素部（ＲＧＢ３ドット（絵素）＝１画素）として繰り返しマトリクス状に配置されている。例えばＡ画素×Ｂ画素の液晶パネルにおいて、３本のソースバスラインと１本のゲートバスラインを１組として、ソースバスラインがＡ×３本、ゲートバスラインがＢ本設けられている。
【００１０】
第１絵素部（絵素１）では、第１ＴＦＴ５ａのゲートがゲートバスライン２に接続され、そのソースが第１ソースバスライン１ａに接続され、そのドレインが絵素電極４ａに接続されている。また、絵素電極４ａと対向電極との間に液晶容量Ｃｌｃが形成され、これと並列にＣｓバスライン３と絵素電極４ａとの間に補助容量Ｃｃｓが形成されている。
【００１１】
第２絵素部（絵素２）では、第２ＴＦＴ５ｂのゲートがゲートバスライン２に接続され、そのソースが第２ソースバスライン１ｂに接続され、そのドレインが絵素電極４ｂに接続されている。絵素電極４ｂと対向電極との間に液晶容量Ｃｌｃが形成され、これと並列にＣｓバスライン３と絵素電極４ｂとの間に補助容量Ｃｃｓが形成されている。
【００１２】
第３絵素部（絵素３）では、第３ＴＦＴ５ｃのゲートがゲートバスライン２に接続され、そのソースが第３ソースバスライン１ｃに接続され、そのドレインが絵素電極４ｃに接続されている。絵素電極４ｃと対向電極との間には液晶容量Ｃｌｃが形成され、これと並列にＣｓバスライン３と絵素電極４ｃとの間に補助容量Ｃｃｓが形成されている。
【００１３】
図１３は、従来の液晶表示装置の動作を説明するための信号波形図である。
【００１４】
図１３に示すように、ゲートバスライン２にＴＦＴ５をオン状態とさせるハイレベル電圧（ＯＮ電圧）が印加されている期間に同時に、第１絵素部には第１ソースバスライン１ａに印加されている映像信号電圧ａが書き込まれ、第２絵素部には第２ソースバスライン１ｂに印加されている映像信号電圧ｂが書き込まれ、第３絵素部には第３ソースバスライン１ｃに印加されている映像信号電圧ｃが書き込まれる。
【００１５】
近年、従来の液晶表示装置において、液晶パネルの高精細化および高開口率化が望まれている。しかしながら、デジタルカメラおよびビデオカメラや携帯電話装置などのモバイル機器に搭載されるような小型液晶パネルでは、１ドット（絵素）のサイズが小さくなり、充分な開口率を確保することができないという問題がある。
【００１６】
上記従来の液晶表示装置では、例えば図１４（ａ）に示すように、表示画面対角１．９インチサイズのＶＧＡ（６４０画素×４８０画素）液晶パネルを一例として考えると、ソースバスライン１の６４０×３＝１９２０本と、ゲートバスライン２の４８０本とがマトリクス状に交差され、これらの各交差部近傍にＴＦＴ５などのスイッチング素子が配置される構成となる。この場合には、図１４（ｂ）に示すように、１ドットのサイズが２０μｍ×６０μｍとなっている。
【００１７】
ここで、図１０に示すように、例えばソースバスライン１の幅４μｍ、ソース−絵素電極４間のギャップ＝３μｍ、貼り合わせマージン（絵素電極４−ＢＭ間の距離）＝５μｍとすると、ＢＭ開口部＝０μｍとなり、開口部を全く確保することができなくなる。
【００１８】
そこで、例えば特許文献１には、ゲートバスライン２の本数を倍にして、ソースバスライン１の本数を半減（ＶＧＡの場合、ゲートバスライン２＝９６０本、ソースバスライン１＝９６０本）させ、ソースバスライン１の左右に設けた各絵素電極４にソースバスライン１を接続することにより、高い開口率を確保した液晶表示装置が開示されている。
【特許文献１】特開平１１−３５２５２０号公報
【発明の開示】
【発明が解決しようとする課題】
【００１９】
上述したように、従来の液晶表示装置では、Ａ画素×Ｂ画素の液晶パネルにおいて、ソースバスライン１がＡ×３本、ゲートバスライン２がＢ本設けられているため、小型液晶パネルにおいて、１ドット（絵素）のサイズが小さくなり、前述したように充分な開口率を確保することがで困難であるという問題がある。
【００２０】
特許文献１では、Ａ画素×Ｂ画素の液晶パネルにおいて、ソースバスラインがＡ×２本、ゲートバスラインがＢ×２本設けられているため、従来の液晶表示装置よりも１ドット（絵素）のサイズを多少大きくできるが、小型液晶パネルでは、これで開口率が充分であるとは言えないという問題がある。
【００２１】
本発明は、上記従来の問題を解決するもので、１絵素サイズが比較的小さい高精細液晶パネルにおいても、より充分な開口率を確保することができる液晶表示装置および、これを用いた例えばデジタルカメラおよびビデオカメラや携帯電話装置などのモバイル機器の電子情報機器を提供することを目的とする。
【課題を解決するための手段】
【００２２】
本発明の液晶表示装置は、複数の信号線と複数の走査線とが互いに交差してマトリクス状に配置され、該信号線と該走査線の交差部毎に設けられた絵素領域に、絵素電極と、当該走査線からの走査信号で選択されて当該信号線からの画像信号により該絵素電極を駆動可能とするスイッチング素子とを有する液晶表示装置において、当該走査線として少なくとも第１および第２走査線が設けられ、該絵素領域毎に、該絵素電極として少なくとも第１〜第３絵素電極が設けられ、該スイッチング素子は、当該信号線から該少なくとも第１〜第３絵素電極にそれぞれ各表示電圧を供給可能としており、そのことにより上記目的が達成される。
【００２３】
また、好ましくは、本発明の液晶表示装置において、前記信号線と前記走査線の交差部毎に設けられた絵素領域に、前記スイッチング素子として第１〜第４スイッチング素子が設けられ、前記第１絵素電極と該信号線の間に、前記第１走査線の走査信号により選択される該第１スイッチング素子が接続され、前記第２絵素電極と該信号線の間に、前記第２走査線の走査信号により選択される該第２スイッチング素子が接続され、前記第３絵素電極と該信号線の間に、該第１走査線の走査信号により選択される該第３スイッチング素子と、該第２走査線の走査信号により選択される該第４スイッチング素子とが直列接続されて設けられている。
【００２４】
さらに、好ましくは、本発明の液晶表示装置における信号線には、前記各表示電圧が時分割に供給されている。
【００２５】
さらに、好ましくは、本発明の液晶表示装置における第１〜第３絵素電極は、前記第１走査線および前記第２走査線の延在方向に沿って配置されている。
【００２６】
さらに、好ましくは、本発明の液晶表示装置における第１〜第３絵素電極は、前記信号線と前記走査線で囲まれた領域内に配置されている。
【００２７】
さらに、好ましくは、本発明の液晶表示装置における第１〜第３絵素電極は、前記信号線によって前記延在方向に振り分けられている。
【００２８】
さらに、好ましくは、本発明の液晶表示装置における第１〜第３絵素電極は、３種類の色の絵素部に対応している。
【００２９】
さらに、好ましくは、本発明の液晶表示装置における３種類の色は３原色Ｒ，Ｇ，Ｂである。
【００３０】
さらに、好ましくは、本発明の液晶表示装置における第１〜第３絵素電極は、絵素電極形状が同一かまたは異なっている。
【００３１】
さらに、好ましくは、本発明の液晶表示装置において、前記第１走査線のみに駆動電圧が印加される第１期間と、前記第２走査線のみに駆動電圧が印加される第２期間と、該第１走査線および該第２走査線の両方に駆動電圧が印加される第３期間とが、該第３期間、該第１期間および該第２期間の順、または、該第３期間、該第２期間および該第１期間の順で繰り返す走査線駆動回路を更に有する。
【００３２】
さらに、好ましくは、本発明の液晶表示装置における第３期間の長さが他の期間よりも長く設定されている。
【００３３】
さらに、好ましくは、本発明の液晶表示装置における第１〜第４スイッチング素子は、前記信号線の電位に対する前記絵素電極への到達電位差が表示に現れない程度の高充電可能なトランジスタとする。
【００３４】
さらに、好ましくは、本発明の液晶表示装置における第３および第４スイッチング素子は、前記信号線の電位に対する前記絵素電極への到達電位差が表示に現れない程度の高充電可能なトランジスタとする。
【００３５】
さらに、好ましくは、本発明の液晶表示装置における第１〜第４スイッチング素子はトランジスタで構成され、前記一対の走査線のうちの一方の走査線を超えて配線クロス部で前記絵素電極に接続されるトランジスタにおいてそのゲートに駆動電圧が印加される期間が、その他のトランジスタに駆動電圧が印加される期間よりも長く設定されている。
【００３６】
さらに、好ましくは、本発明の液晶表示装置における第１〜第４スイッチング素子は各トランジスタで構成され、該各トランジスタのうちの少なくとも、前記一対の走査線のうちの一方の走査線を超えて配線クロス部で前記絵素電極と接続されるトランジスタは、前記信号線の電位に対する該絵素電極への到達電位差が表示に現れない程度の高充電可能なトランジスタとする。
【００３７】
さらに、好ましくは、本発明の液晶表示装置における配線クロス部は、前記他方のトランジスタを介して絵素電極に接続される配線に比べてその幅サイズが小さく設定されている。
【００３８】
さらに、好ましくは、本発明の液晶表示装置における第１走査線および第２走査線の少なくとも一方と前記第１〜第３絵素電極とが絶縁膜を介して補助容量を構成している。
【００３９】
さらに、好ましくは、本発明の液晶表示装置において、前記走査線に平行に補助容量線が設けられ、前記第１〜第３絵素電極と該補助容量線とが絶縁膜を介して補助容量を構成している。
【００４０】
さらに、好ましくは、本発明の液晶表示装置における第１〜第３絵素電極と前記走査線および／または前記補助容量線との間の該絵素電極毎の各補助容量の大きさを同一または異ならせている。
【００４１】
さらに、好ましくは、本発明の液晶表示装置におけるスイッチング素子は四つのトランジスタで構成され、ゲート信号の電圧変化による前記第１〜第３絵素電極の各電位変動が均一になるように、前記補助容量をゲート−絵素電極間の寄生容量の大きさに応じて変化させる。
【００４２】
さらに、好ましくは、本発明の液晶表示装置における第１、第２および第４スイッチング素子に延びる前記信号線からの分岐部を一または二箇所設ける。
【００４３】
さらに、好ましくは、本発明の液晶表示装置における第１〜第３絵素電極の面積およびその開口部面積を同一または異ならせている。
【００４４】
さらに、好ましくは、本発明の液晶表示装置における絵素電極として、前記第１〜第３絵素電極を含む４以上の絵素部が設けられている。
【００４５】
本発明の電子情報機器は、本発明の上記液晶表示装置が表示部に用いられており、そのことにより上記目的が達成される。
【００４６】
上記構成により、以下に、本発明の作用について説明する。
【００４７】
本発明にあっては、例えばＲＧＢ絵素＝１画素部の絵素領域毎に、絵素電極として少なくとも第１〜第３絵素電極が設けられ、スイッチング素子は、信号線から少なくとも第１〜第３絵素電極にそれぞれ各表示電圧を供給可能としている。
【００４８】
例えば、第１絵素電極と信号線との間に第１スイッチング素子が接続され、第２絵素電極と信号線との間に第２スイッチング素子が接続され、第３絵素電極と信号線との間に第３スイッチング素子と第４スイッチング素子が直列接続される。
【００４９】
このように、Ａ画素×Ｂ画素の液晶表示パネルに対して、信号線（ソースバスライン）本数＝Ａ、走査線（ゲートバスライン）本数＝Ｂ×２という配線本数で表示領域が構成される。例えばＶＧＡの場合には、ソースバスライン本数＝６４０本、ゲートバスライン本数＝９６０本となる。
【００５０】
走査線本数は図１０に示した従来の液晶表示装置に比べて２倍になるが、信号線本数が従来の液晶表示装置の１／３となる。また、特許文献１に開示されている従来の液晶表示装置に比べて、走査線本数は同じであり、信号線本数を特許文献１よりも２／３に削減することが可能となる。これにより、横方向に信号線で占められていた領域を表示領域に充てることが可能となって、配線幅や配線間隔などのプロセスマージンを削ることなく、また、構成膜を増加させることもなく、必要な開口部をより確保して高開口率化を図ることが可能となる。さらに、信号線および走査線のトータル配線数も削減されるため、ドライバＩＣも含めた製造歩留まりの向上および狭額縁化をも図ることが可能となる。
【発明の効果】
【００５１】
以上のように、本発明によれば、従来の液晶表示装置に比べて信号線本数を大幅に削減して、信号線で占められていた一方向（例えば横方向）の領域を表示領域に充てることにより、配線幅や配線間隔などのプロセスマージンを削ることなく、また、構成膜を増加させることもなく、必要な開口部をより確保して高開口率化を図ることができる。さらに、信号線および走査線のトータル配線数を削減することにより、ドライバＩＣも含めた製造歩留まりの向上および狭額縁化を図ることができる。
【発明を実施するための最良の形態】
【００５２】
以下に、本発明の液晶表示装置の実施形態１〜５について、図面を参照しながら説明する。  
（実施形態１）
図１は、本発明の実施形態１に係る液晶表示装置における絵素形状を説明するための要部平面図であり、図２は、図１のＡ−Ａ’線断面図であり、図３は図１の液晶表示装置における１画素部分の等価回路図である。なお、図１０〜図１２と同様の作用効果を奏する部材には同一の符号を付している。
【００５３】
図１において、本実施形態１の液晶表示装置２０の液晶パネルを構成するＴＦＴ側基板は、絶縁性基板上に複数の信号線（ソースバスライン）２１と複数の走査線（ゲートバスライン）２２とが互いに交差（直交）してマトリクス状に配置されており、さらに、必要に応じてゲートバスライン２２と平行にＣｓ（補助容量）バスラインライン３が設けられている。
【００５４】
これらのソースバスライン２１とゲートバスライン２２とで囲まれた絵素領域には、絵素電極２４とこの絵素電極２４を選択駆動するスイッチング素子としてのＴＦＴ２５とが設けられている。このようにして、本実施形態１の液晶表示装置２０のＴＦＴ基板が構成されている。
【００５５】
このＴＦＴ基板は、図２に示すように、絶縁性基板１１上にゲート絶縁膜１２が設けられ、その上に絵素電極２４さらにソースバスライン２１がこの順に設けられて、そのソースバスライン２１を覆うように保護膜２６が設けられている。
【００５６】
対向基板は、絶縁性基板１４上に例えばＲＧＢの着色層１５が設けられ、その上にＢＭ（ブラックマトリクス）１６が設けられている。
【００５７】
ＴＦＴ基板と対向基板とは、所定の間隔を空けて対向配置されており、両基板の間隙に液晶層１７が封入されている。
【００５８】
絵素電極４は、図３に示すように、例えばＲＧＢの３原色に対応して３種類の絵素電極２４ａ、２４ｂおよび２４ｃが１画素部（ＲＧＢ３ドット（絵素）＝１画素）として、互いに隣接して平行なゲートバスライン２２（第１ゲートバスライン２２ａおよび第２ゲートバスライン２２ｂ）の延在方向（左右方向）に沿って隣接し、繰り返し並んで配置されている。これらの絵素電極２４ａ、２４ｂおよび２４ｃは、ソースバスライン２１とゲートバスライン２２で囲まれた絵素領域内に配置されている。Ａ画素×Ｂ画素の液晶パネルにおいて、１本のソースバスライン２１と、２本のゲートバスライン２２ａおよび２２ｂを１組として、ソースバスライン２１がＡ本、ゲートバスライン２２がＢ×２本設けられている。
【００５９】
第１絵素部（絵素１）では、第１ＴＦＴ２５ａのゲートが第１ゲートバスライン２２ａに接続され、そのソースがソースバスライン２１に接続され、そのドレインが絵素電極２４ａに接続されている。また、この絵素電極２４ａと対向電極との間に液晶容量Ｃｌｃが形成され、これと並列にＣｓバスライン３と絵素電極２４ａとの間に補助容量Ｃｃｓが形成されている。
【００６０】
第２絵素部（絵素２）では、第２ＴＦＴ２５ｂのゲートが第２ゲートバスライン２２ｂに接続され、そのソースがソースバスライン２１に接続され、そのドレインが絵素電極２４ｂに接続されている。また、この絵素電極２４ｂと対向電極との間に液晶容量Ｃｌｃが形成され、これと並列にＣｓバスライン３と絵素電極２４ｂとの間に補助容量Ｃｃｓが形成されている。
【００６１】
第３絵素部（絵素３）では、第３ＴＦＴ２５ｃおよび第４ＴＦＴ２５ｄが直列に接続され、第３ＴＦＴ２５ｃのゲートが第１ゲートバスライン２２ａに接続され、第４ＴＦＴ２５ｄのゲートが第２ゲートバスライン２２ｂに接続され、第４ＴＦＴ２５ｄのソースがソースバスライン２１に接続され、第４ＴＦＴ２５ｄのドレインが第３ＴＦＴ２５ｃのソースに接続され、第３ＴＦＴ２５ｃのドレインが絵素電極２４ｃに接続されている。また、絵素電極２４ｃと対向電極との間には挟持された液晶によって液晶容量Ｃｌｃが形成され、これと並列にＣｓバスライン３と絵素電極２４ｃとの間に設けられた絶縁膜によって補助容量Ｃｃｓが形成されている。
【００６２】
本実施形態１の液晶表示装置２０において、例えば図４（ａ）に示すように、表示画面対角１．９インチサイズのＶＧＡ（６４０画素×４８０画素）液晶パネルを一例として考えると、ソースバスライン２１が６４０本、ゲートバスライン２２が４８０本×２＝９６０がマトリクス状に交差され、これらの各交差部近傍にＴＦＴ２５などのスイッチング素子が配置される構成となっている。この場合には、図４（ｂ）に示すように、１ドットのサイズが２０μｍ×６０μｍとなる。
【００６３】
ここで、図１に示すように、例えばソースバスライン２１の幅４μｍ、ソース−絵素電極２４間のギャップ＝３μｍ、貼り合わせマージン（絵素電極２４−ＢＭ間の距離）＝５μｍとすると、ＢＭ開口部＝４μｍとなり、図１０に示す従来の液晶表示装置１０の場合に比べて、開口部を広げることが可能となる。
【００６４】
図５は、本実施形態１の液晶表示装置の動作を説明するための信号波形図である。
【００６５】
図５において、ソースバスライン２１には、第３絵素部に対応する信号電圧（表示電圧）ｃ、第１絵素部に対応する信号電圧（表示電圧）ａおよび第２絵素部に対応する信号電圧（表示電圧）ｂがこの順で時分割で印加される。
【００６６】
まず、第１ゲートバスライン２２ａおよび第２ゲートバスライン２２ｂにＴＦＴ２５をオン状態とさせるハイレベル電圧（ＯＮ電圧）が印加されている期間に、第３絵素部に第３ＴＦＴ２５ｃおよび第４ＴＦＴ２５ｄを介してソースバスライン２１に印加されている映像信号電圧ｃが書き込まれる。
【００６７】
次に、第１ゲートバスライン２２ａにＯＮ電圧が印加されている期間に、第１絵素部に第１ＴＦＴ２５ａを介してソースバスライン２１に印加されている映像信号電圧ａが書き込まれる。
【００６８】
その後、第２ゲートバスライン２２ｂにＯＮ電圧が印加されている期間に、第２絵素部に第２ＴＦＴ２５ｂを介してソースバスライン２１に印加されている映像信号電圧ｂが書き込まれる。
【００６９】
このようにして、各絵素部への書き込みは、第３絵素部→第１絵素部→第２絵素部で行われる。即ち、第１ゲートバスライン２２ａのみに駆動電圧(ハイレベル電圧）が印加される第１期間と、第２ゲートバスライン２２ｂのみに駆動電圧(ハイレベル電圧）が印加される第２期間と、第１ゲートバスライン２２ａおよび第２ゲートバスライン２２ｂの両方に駆動電圧(ハイレベル電圧）が印加される第３期間とが、第３期間、第１期間および第２期間の順で繰り返す走査線駆動回路を有している。なお、これよりも表示品位は劣るが第３絵素部→第２絵素部→第１絵素部の順で各絵素部への書き込みを行ってもよい。即ち、第３期間、第１期間および第２期間の順で繰り返す走査線駆動回路を有していてもよい。
【００７０】
ところで、図３に示す第１絵素部〜第３絵素部のうち、第３絵素部では、二つのＴＦＴ２５ｃおよび２５ｄを介してソースバスライン２１と絵素電極２４ｃとが電気的に接続されるようになっている。
【００７１】
例えば、第１絵素部および第２絵素部において、絵素電極２４ａ，２４ｂへの到達電位が信号線電位の９９．５％であるようなＴＦＴ２５ａ，２５ｂを用いた場合、同じＴＦＴ２５ａ，２５ｂを、ＴＦＴ２５ｃ，２５ｄとして第３絵素部に二つ配置した場合、到達電位は９９．５％以下となる。この場合、ＲＧＢ絵素部を有する液晶パネルにおいて白・黒・グレーを表示させても、特定の色味にシフトして表示されることになる。
【００７２】
これを回避する方法としては、次の（１）〜（５）の方法がある。
【００７３】
（１）図５において第３絵素部に信号電圧ｃが書き込まれる期間を他の期間よりも長くする方法、即ち、前述した第３期間の長さが他の期間よりも長く設定する方法、
（２）第１絵素部〜第３絵素部に、信号線電位（ソースバスライン２１の電位）に対する各絵素電極２４ａ，２４ｂおよび２４ｃへの到達電位差が表示に現れない程度の高充電が可能な能力（例えばサイズ）のＴＦＴを配置する方法、即ち、第１〜第４ＴＦＴ２５ａ〜２５ｄは、ソースバスライン２１の電位に対する各絵素電極２４ａ，２４ｂおよび２４ｃへの到達電位差が表示に現れない程度の高充電可能なトランジスタサイズとする方法、
（３）第３絵素部にのみ、高充電が可能な能力（例えばサイズ）のＴＦＴを配置する方法、即ち、第３ＴＦＴ２５ｃおよび第４ＴＦＴ２５ｄは、ソースバスライン２１の電位に対する絵素電極２４ｃへの到達電位差が表示に現れない程度の高充電可能なトランジスタサイズとする方法などが考えられる。
【００７４】
また、第２絵素部についても、図１に示すように、第２ＴＦＴ２５ｂが第１ゲートバスライン２２ａを超えて配線クロス部Ａで絵素電極２４ｂと接続され、その配線クロス部Ａが第１ゲートバスライン２２ａに対して容量成分となるため、第１絵素部と同じ到達電位を確保するために、上記（１）〜（３）のような回避方法を採用するか、または、（４）クロス部Ａのサイズを小さくする必要がある。
【００７５】
即ち、第１ゲートバスライン２２ａを超えて配線クロス部Ａで絵素電極２４ｂに接続される第２ＴＦＴ２４ｂにおいてそのゲートに走査信号のハイレベル電圧が印加される期間が、第１ＴＦＴ２４ａのゲートに走査信号のハイレベル電圧が印加される期間よりも長く設定する。
【００７６】
また、第１ゲートバスライン２２ａを超えて配線クロス部Ａで絵素電極２４ｂに接続される第２ＴＦＴ２４ｂは、ソースバスライン２１の電位に対する各絵素電極２４ａ，２４ｂへの到達電位差が表示に現れない程度の高充電可能なトランジスタサイズとする。
【００７７】
さらに、配線クロス部Ａは、第１ＴＦＴ２４ａを介して絵素電極２４ａに接続される配線に比べてその幅サイズを小さく設定する。
【００７８】
ここで、上記（３）の方法を用いると、ゲート−絵素電極間の寄生容量Ｃｇｄが他の絵素部と異なり、ゲート信号の電圧変化による絵素電極の電位変動が異なるものとなる。その差が大きいと、特定絵素部のみがフリッカーなどの表示不良となる。
【００７９】
これを回避するためには、（５）補助容量Ｃｃｓの大きさや絵素容量Ｃｌｃの大きさをゲート−絵素電極間の寄生容量Ｃｇｄの大きさに応じて変化させるなどの方法が考えられる。
【００８０】
即ち、ゲート信号の電圧変化による絵素電極２４ａ，２４ｂおよび２４ｃの各電位変動が均一になるように、補助容量Ｃｃｓの大きさおよび／または絵素容量Ｃｌｃの大きさをゲート−絵素電極間の寄生容量Ｃｇｄの大きさに応じて変化させる。
【００８１】
なお、図１では、Ｃｓバスライン３を設けて絵素電極２４との間の絶縁膜により補助容量を構成したが、補助容量を設けない構成も可能である。
（実施形態２）
上記実施形態１では、Ｃｓバスライン３と絵素電極２４との間の絶縁膜を設けて補助容量を形成したが、本実施形態２では、この代わりに、ゲートバスライン２２と絵素電極２４との間に絶縁膜を設けて補助容量を形成する場合について説明する。
【００８２】
図６は、本発明の実施形態２に係る液晶表示装置における絵素形状を説明するための平面図である。
【００８３】
図６において、液晶表示装置２０Ａは、上記実施形態１のようにＣｓバスライン３が設けられておらず、この代わりに、隣接する絵素部の幅広の第２ゲートバスライン２２ｃと三つの絵素電極２４Ａとが絶縁膜を介して一部重畳されて補助容量が構成されている。さらに、ゲートバスライン２２ｃの幅寸法を調整することにより絵素電極２４Ａとゲートバスライン２２ｃとの重畳面積を異ならせることによって、補助容量の大きさを適宜異ならせて調整することができる。
【００８４】
なお、Ｃｓバスライン３と絵素電極２４とによる補助容量と共に、第２ゲートバスライン２２ｃと三つの絵素電極２４Ａによる補助容量を設けてもよい。
（実施形態３）
上記実施形態１では、ＴＦＴ２５へ延びるソースバスライン２１からの分岐部を２箇所設けたが、本実施形態３では、ＴＦＴ２５へ延びるソースバスライン２１からの分岐部（１箇所）が三つの絵素部で共有される場合について説明する。
【００８５】
図７は、本発明の実施形態３に係る液晶表示装置における絵素形状を説明するための平面図である。
【００８６】
図７において、液晶表示装置２０Ｂは、ＴＦＴ２５ａ、２５ｂおよび２５ｄに延びるソースバスライン２１の分岐部が共用されている。
（実施形態４）
上記実施形態１では、第１絵素部〜第３絵素部の開口部面積および絵素電極面積を同じにしているが、本実施形態４では、これらは異なっていてもよい。
【００８７】
図８は、本発明の実施形態４に係る液晶表示装置における絵素形状を説明するための平面図である。
【００８８】
図８において、液晶表示装置２０Ｃは、第１絵素部〜第３絵素部で、絵素電極２４ａ〜２４ｃの面積および開口部の面積がそれぞれ異なっている。これによって、それぞれの絵素部で所望の表示状態を設定することができる。
（実施形態５）
上記実施形態１では、ＴＦＴ２５へ延びるソースバスライン２１の分岐部をソースバスライン２１に対して一方側（右側）延びるように設けたが、本実施形態５ではソースバスライン２１の両側（二方側、左右側）に延びるように設ける場合について説明する。
【００８９】
図９は、本発明の実施形態５に係る液晶表示装置における絵素形状を説明するための平面図である。
【００９０】
図９において、液晶表示装置２０Ｄは、左側から第１絵素部、ソースバスライン２１を介して第２絵素部、第３絵素部の順で配置されており、第２絵素部の第２ＴＦＴ２５ｂおよび第３絵素部の第４ＴＦＴ２５ｄに延びる分岐部はソースバスライン２１に対して右側に延びるように設けられ、第１絵素部の第１ＴＦＴ２５ａに延びる分岐部は同一のソースバスライン２１に対して左側に延びるように設けられている。したがって、第１絵素部と第２絵素部の間にソースバスライン２１を挟んで、第２絵素部の右側に第３絵素部が配置されている。即ち、第１〜第３絵素電極２４ａ、２４ｂおよび２４ｃは、ソースバスライン２１によってその延在方向に振り分けられている。
【００９１】
以上により、上記実施形態１〜５によれば、三原色のＲＧＢ絵素部（第１〜第３絵素電極２４ａ、２４ｂおよび２４ｃ）を１画素部として、表示領域が三つの絵素形状で構成され、第１絵素電極２４ａと信号線２１との間に第１ＴＦＴ２５ａが接続され、第２絵素電極２４ｂと信号線２１との間に第２ＴＦＴ２５ｂが接続され、第３絵素電極２４ｃと信号線２１との間に第３ＴＦＴ２５ｃと第４ＴＦＴ２５ｄとが直列接続されている。表示画面を構成する絵素部のうちの１／３に二つのスイッチング素子（第３ＴＦＴ２５ｃと第４ＴＦＴ２５ｄ）を備えることによって、Ａ画素×Ｂ画素の液晶表示パネルに対して、信号線本数＝Ａ、走査線本数＝Ｂ×２という配線本数で表示領域を構成することができる。従来は、信号線（ソースバスライン２１）で占められていた領域を表示領域に充てることが可能となり、配線幅や配線間隔などのプロセスマージンを削ることなく、構成膜を増加させることもなく、開口部を確保して高開口率化を図ることができる。信号線（ソースバスライン２１）および走査線（第１ゲートバスライン２２ａおよび第２ゲートバスライン２２ｂまたは２２ｃ）のトータル配線数も削減されるため、ドライバＩＣも含めた製造歩留まり向上および狭額縁化を図ることができる。これによって、１絵素部のサイズが小さい高精細液晶パネルであっても、充分な開口率を確保することが可能な液晶表示装置を得ることができる。
【００９２】
なお、上記実施形態１〜５では、絵素電極は第１〜第３絵素電極２４ａ〜２４ｃとしたが、これに限らず、第１〜第３絵素電極２４ａ〜２４ｃを含む４以上の絵素部が設けられていてもよい。
【００９３】
例えば、絵素電極として、６絵素部＝ＲＧＢ×２が１単位の構成例のように４以上の絵素部が設けられている。
【００９４】
以上のように、本発明の好ましい実施形態１〜５を用いて本発明を例示してきたが、本発明は、この実施形態１〜５に限定して解釈されるべきものではない。本発明は、特許請求の範囲によってのみその範囲が解釈されるべきであることが理解される。当業者は、本発明の具体的な好ましい実施形態１〜５の記載から、本発明の記載および技術常識に基づいて等価な範囲を実施することができることが理解される。本明細書において引用した特許、特許出願および文献は、その内容自体が具体的に本明細書に記載されているのと同様にその内容が本明細書に対する参考として援用されるべきであることが理解される。
【産業上の利用可能性】
【００９５】
本発明は、小型・高精細で絵素サイズが比較的小さい液晶表示装置および、これを用いた例えばデジタルカメラおよびビデオカメラや携帯電話装置などのモバイル機器である電子情報機器の分野において、従来の液晶表示装置に比べて信号線本数を削減して、信号線で占められていた絵素領域を表示領域に充てることにより、配線幅や配線間隔などのプロセスマージンを削ることなく、また、構成膜を増加させることなく、開口部を確保して高開口率化を図ることができる。さらに、信号線および走査線のトータル配線数を削減することにより、ドライバＩＣも含めた製造歩留まり向上および狭額縁化を図ることができる。
【図面の簡単な説明】
【００９６】
【図１】本発明の実施形態１に係る液晶表示装置における絵素形状を説明するための要部平面図である。
【図２】図１のＡ−Ａ’線断面図である。
【図３】図１の液晶表示装置における１画素部分の等価回路図である。
【図４】（ａ）および（ｂ）は、図１の液晶表示装置における液晶パネルの構成例を示す図である。
【図５】図１の液晶表示装置の動作を説明するための信号波形図である。
【図６】本発明の実施形態２に係る液晶表示装置における絵素形状を説明するための平面図である。
【図７】本発明の実施形態３に係る液晶表示装置における絵素形状を説明するための平面図である。
【図８】本発明の実施形態４に係る液晶表示装置における絵素形状を説明するための平面図である。
【図９】本発明の実施形態５に係る液晶表示装置における絵素形状を説明するための平面図である。
【図１０】従来の液晶表示装置における絵素形状を説明するための要部平面図である。
【図１１】図１０のＡ−Ａ’線断面図である。
【図１２】図１０の液晶表示装置における１画素部分の等価回路図である。
【図１３】従来の液晶表示装置の動作を説明するための信号波形図である。
【図１４】従来の液晶表示装置における液晶パネルの構成例を示す図であって、（ａ）はこの液晶パネルの大きさを示す画面図、（ｂ）は、（ａ）のＡ部を拡大した拡大平面図である。
【符号の説明】
【００９７】
２０，２０Ａ，２０Ｂ，２０Ｃ，２０Ｄ  液晶表示装置
２１ ソースバスライン
２２ ゲートバスライン
２２ａ 第１ゲートバスライン
２２ｂ 第２ゲートバスライン
２２ｃ 第３ゲートバスライン
３  Ｃｓバスライン
２４ 絵素電極
２４ａ 第１絵素電極
２４ｂ 第２絵素電極
２４ｃ 第３絵素電極
２５ ＴＦＴ
２５ａ 第１ＴＦＴ
２５ｂ 第２ＴＦＴ
２５ｃ 第３ＴＦＴ
２５ｄ 第４ＴＦＴ
【図１】
2006251322.tif 000003
【図２】
2006251322.tif 000004
【図３】
2006251322.tif 000005
【図４】
2006251322.tif 000006
【図５】
2006251322.tif 000007
【図６】
2006251322.tif 000008
【図７】
2006251322.tif 000009
【図８】
2006251322.tif 000010
【図９】
2006251322.tif 000011
【図１０】
2006251322.tif 000012
【図１１】
2006251322.tif 000013
【図１２】
2006251322.tif 000014
【図１３】
2006251322.tif 000015
【図１４】
2006251322.tif 000016